(57)【要約】      （修正有）【課題】従来のペットボトルと同じ形状の飲料容器を横に水平になるように倒した時に、内部の空間の一部の空間でも在る蓋部を装着する部分の内部の空間を満杯にすることが出来る水量と同じ水量が、垂直になった状態の前記従来の飲料容器と同じ外観と外側の面の合計の面積が同じ冷凍用飲料容器が有する空間に在ったとしても、その冷凍用飲料容器を横にした場合、蓋部を装着する部分とその付近の空間には水を存在させない状態を作り出すことが出来る。【解決手段】前記空間の上部には勾配を有する略板状の部分１５が在ることで、その空間を有する前記冷凍用飲料容器を前面７が下を向くように水平にした場合、前記空間に存在する水の量がその空間の容積の１３／２０ほどの量であったとしてもその水の全てを勾配を有する略板状の部分の底面側に存在する空間２７に収容することが出来る。【選択図】図１８
2015217989.tif 000002
【特許請求の範囲】
【請求項１】
冷凍用飲料容器本体２とその冷凍用飲料容器本体２に装着されている蓋部４とで成る冷凍用飲料容器１であって、前記冷凍用飲料容器１、又は前記冷凍用飲料容器本体２を、前記冷凍用飲料容器１、又は前記冷凍用飲料容器本体２が有する底面６が下になるように水平な平面状のところに置いた場合、前記冷凍用飲料容器１、又は前記冷凍用飲料容器本体２が有する空間５の上部となるところ、即ち空間５の上部には略板状の部分１５が存在していることを特徴とする冷凍用飲料容器。
【請求項２】
前記空間５の上部に存在している前記略板状の部分１５は勾配を有していることを特徴とする請求項１記載の冷凍用飲料容器。
【請求項３】
前記勾配を有している略板状の部分１５、即ち、勾配を有する略板状の部分１５の下先端部２１の付近に存在するその勾配を有する略板状の部分の後ろ先端部１７と、その後ろ先端部１７と対面する形で存在する後面の内面１８との間には隙間が存在していることを特徴とする請求項２記載の冷凍用飲料容器
【請求項４】
前記空間５の上部に存在している前記勾配を有する略板状の部分１５の上先端部となっているところとその付近、即ち、その勾配を有する略板状の部分の前部２３の上下の縦幅の長さは、その勾配を有する略板状の部分１５の前記下先端部２１とその付近、即ち、その勾配を有する略板状の部分の後部２４の上下の縦幅の長さよりも短くなっていることを特徴とする請求項３記載の冷凍用飲料容器。
【請求項５】
前記空間５には棒状の物体４４、または、凸部が存在していることを特徴とする請求項４記載の冷凍用飲料容器。
【請求項６】
前記空間５に存在する前記凸部、そして、前記棒状の物体４４は複数であることを特徴とする請求項５記載の冷凍用飲料容器。
【請求項７】
前記複数の凸部が存在する前記空間５は二種あり、その内の一種は前記底面６の内面４１から前記勾配を有する略板状の部分１５に向って、前記勾配を有する略板状の部分１５の下を向いた面３１から前記底面６に向って、前記勾配を有する略板状の部分１５の上を向いた面３０から前面の上の面８の内面１６に向って、そして、前記前面の上の面の内面１６から前記勾配を有する略板状の部分に向って突き出た形の複数の凸部５３が存在している空間５であり、もう一種は、前面７の内面３７から前記後面９に向って、そして、前記前面の上の面の内面１６から前記後面９に向って突き出た形の複数の凸部５４、５５が存在している空間５であることを特徴とする請求項６記載の冷凍用飲料容器。
【請求項８】
前記空間５に存在する前記前面の内面３７から前記後面９に向って、そして、前記前面の上の面の内面１６から前記後面９に向って突き出た形で存在する前記複数の凸部５４、５５は、上、または下から見た場合、または、横から見た場合、略Ｔ字状となって見える形であることを特徴とする請求項７記載の冷凍用飲料容器。
【発明の詳細な説明】
【技術分野】
【０００１】
2015217989.tif 000003
後、横にして、その横にした状態のまま前記空間に存在する全ての水を凍らせたとしてもその空間に水を入れることが出来る形状をした冷凍用飲料容器に関する。
【背景技術】
【０００２】現在市場に広く流通している家庭用冷蔵庫が有する冷凍庫の大半は、現在市場に広く流通している容量が１、８リットルほどのペットボトルのような飲料容器を縦の状態にして入れようと思えばかろうじて入れることが出来るスペースを有しているが、殆どの家庭が所有する冷蔵庫の冷凍庫内は、上段と中段、または、上段、中段、下段と冷凍食品等の出し入れがスムースに行えるように分けられている。【０００３】その状況により、上記のような飲料容器を立てた状態のまま、大半の一般家庭に在るような冷蔵庫が有する冷凍庫に入れることは不可能と言っても云いような状態であり、従って容量が１、８リットルほどの飲料容器を上記のような冷凍庫に入れる場合は、その容量が１、８リットルほどの飲料容器を横の状態にして上記の冷凍庫に入れなくてはならない。【０００４】
2015217989.tif 000004
っている図１のような状態の縦の長さが３０ｃｍほどの市場でよく見かける容量が１、８リットルから２リットルのペットボトルを上記のような冷凍庫に入れることにより、前記空間の中に存在する水を冷やして飲もうと思えば当然のことながらそのペットボトルを横にして前記冷凍庫に入れ、後、そのペットボトル内の水が凍らないうちにそのペットボトルを前記冷凍庫から出さなくてはならない。【０００５】
2015217989.tif 000005
量が１、８リットル〜２リットルほどのペットボトルを横にし、その横にした状態のままで上記のような冷凍庫に入れ、後、図２のような水の全てが凍って氷になったものが前記空間内に存在するペットボトルを前記冷凍庫から取り出した場合は、その空間の一部でもある蓋部を装着する部分の内部の空間４５の中も水が凍っている状態となっているので、前記蓋部を装着する部分の内部の空間４５の入口４７から水を入れることが出来ない図３のような状態になり、従って、前記蓋部を装着する部分の内部の空間の入口４７から水を入れて、その水を空間内に存在する氷で冷やし、数分後にその氷の一部が溶けることにより冷たくなった状態の水を飲むことは不可能であり、前記のような空間内の全ての水が凍った状態のペットボトルから水を出して飲もうと思えば、その空間内に存在する氷が溶けるのを待たなくてはならない。【０００６】なお、本願発明に関連する公知技術として次の特許文献１を挙げることが出来る。【０００７】
【特許文献】特開２０１１−１３１８９０公報
【発明の開示】
【発明が解決しようとする課題】
【０００８】上述の如く、ペットボトルのような従来の飲料容器の構造では、その飲
2015217989.tif 000006
料容器を横にして前記空間内の水の全てを凍らせた場合は、その飲料容器に水を入れることは出来ない。【０００９】本発明はこのような点に鑑みて成されたものであり、空間の中にその空間の
2015217989.tif 000007
横にした状態で冷凍庫に入れ、後、その飲料容器を冷凍庫から取り出した時に、その飲料容器が有する空間内の水の全てが凍っていたとしてもその飲料容器に水を入れることが出来、そして、その水を空間の中に存在する氷によって冷やし、人物はその冷やされた水を飲むことが出来ると云うものである。
【課題を解決するための手段】
【００１０】冷凍用飲料容器本体２とその冷凍用飲料容器本体２に装着されている蓋部４とで成る冷凍用飲料容器１であって、前記冷凍用飲料容器１、又は前記冷凍用飲料容器本体２を、前記冷凍用飲料容器１、又は前記冷凍用飲料容器本体２が有する底面６が下になるように水平な平面状のところに置いた場合、前記冷凍用飲料容器１、又は前記冷凍用飲料容器本体２が有する空間５の上部となるところ、即ち空間５の上部には略板状の部分１５が存在していることを特徴とする。【００１１】前記空間５の上部に存在している前記略板状の物体１５は勾配を有していることを特徴とする。【００１２】前記勾配を有している略板状の部分１５、即ち、勾配を有する略板状の部分１５の下先端部２１の付近に存在するその勾配を有する略板状の部分の後ろ先端部１７と、その後ろ先端部１７と対面する形で存在する後面の内面１８との間には隙間が存在していることを特徴とする。【００１３】前記空間５の上部に存在している前記勾配を有する略板状の部分１５の上先端部となっているところとその付近、即ち、その勾配を有する略板状の部分の前部２３の上下の縦幅の長さは、その勾配を有する略板状の部分１５の前記下先端部２１とその付近、即ち、その勾配を有する略板状の部分の後部２４の上下の縦幅の長さよりも短くなっていることを特徴とする。【００１４】前記空間５には棒状の物体４４、又は凹部が在ることを特徴とする。【００１５】前記空間５に存在する前記凹部、そして前記棒状の物体４４は複数であることを特徴とする。【００１６】前記複数の凸部が存在する前記空間５は二種あり、その内一種は前記底面６の内面４１から前記勾配を有する略板状の部分１５に向って、前記勾配を有する略板状の部分１５の下を向いた面３１から前記底面６に向って、前記勾配を有する略板状の部分１５の上を向いた面３０から前面の上の面８の内面１６に向って、そして、前記前面の上の面の内面１６から前記勾配を有する略板状の部分に向って突き出た形の複数の凸部５３が存在している空間５であり、もう一種は、前面７の内面３７から前記後面９に向って、そして、前記前面の上の面の内面１６から前記後面９に向って突き出た形の複数の凸部５４、５５が存在している空間５であることを特徴とする。【００１７】前記空間５に存在する前記前面の内面３７から前記後面９に向って、そして、前記前面の上の面の内面１６から前記後面９に向って突き出た形で存在する前記複数の凸部５４、５５は、上、または下から見た場合、または、横から見た場合、略Ｔ字状となって見える形であることを特徴とする。
【発明の効果】
【００１８】以上説明したように本発明によれば前記冷凍用飲料容器１は、その冷凍用飲料容器１が有する前記空間５の上部に前記勾配を有する略板状
2015217989.tif 000008
垂直に立てた状態の前記冷凍用飲料容器１に入れ、後、前面７が下を向くようにその冷凍用飲料容器１を水平にすれば前記空間５に存在する全ての水は、勾配を有する略板状の部分の底面側に存在する空間２７に在る状態となり、そして、その冷凍用飲料容器１をその水平の状態のまま冷凍庫に入れ、後、その冷凍用飲料容器１をその冷凍庫から取り出した時に、前記空間５の中に存在する全ての水が凍って氷になっており、その氷の全てが前記勾配を有する略板状の部分の底面側に存在する空間２７に在る状態となっているのが理想であるが、たとえ、その氷が前記勾配を有する略板状の部分の底面側に存在する空間２７と前記勾配を有する略板状の部分の蓋部を装着する部分側に存在する空間２６に分けられた状態で在ったとしても、その冷凍用飲料容器１を垂直に立て、そして、前記蓋部４を取り、前記蓋部を装着する部分の内部の空間の入り口４７から水を入れた場合、その水が前記勾配を有する略板状の部分１５の上を向いた面３０に当たり、後、その水がその勾配を有する略板状の部分１５の後ろ先端部１７と前記後面の内面１８とに空く隙間２５に入り、後、その水が前記底面の内面４１に到達することが出来る状態になっていれば良いのであり、前記氷がその状態になっていれば、例えば前記蓋部を装着する部分の内部の空間の入り口４７から水を入れ続ければその水の水面は段々と上がり、人物はある程度のところで水を注ぐのを止めると、後、数分後に前記空間５に在る氷で冷やされた水を人物は飲むことが出来る。【００１９】また、前記空間５に存在する水の全てを出して、その空間５の中には氷だけが存在している前記冷凍用飲料容器１、または、前記冷凍用飲料容器本体２を前記前面７が上になる状態で水平にすると、前記空間５の中に存在する氷の全てが上に来ている状態となるが、前記氷の中には、その氷を貫く状態で複数の前記棒状の物体４４又は、複数の面の内面１６、３７、４１や前記勾配を有する略板状の部分の下を向いた面３１や前記上を向いた面３０に向って突き出た状態の複数の前記凸部５３、５４、５５が存在している状態となっているので前記氷は下に落ちることはない。【００２０】前記勾配を有する略板状の部分５の内部４９は詰まった状態となっているが、その製造課程では、その内部４９は何も無い状態の時があり、それを、詳しく述べると、前記勾配を有する略板状の部分の前面と重なるところ３４、または前記勾配を有する略板状の部分の前面の上の面と重なるところ３５、即ち、後にその勾配を有する略板状の部分の前先端部となるところ３６はその中に存在する空洞の入口２８の状態となっている時があり、その空洞２９の左右は前記冷凍用飲料容器本体２の左右の側面１１、１３の一部分、そして、その空洞の上となっているところは前記勾配を有する略板状の部分の上を向いた面３０、下となっているところは前記勾配を有する略板状の部分の下を向いた面３１、そして、その空洞の後部は厚さが一定の前記二つの面３０、３１をつなぐ状態で存在している前記勾配を有する略板状の部分の後ろ先端部とその付近で囲まれて存在する形となっており、前記勾配を有する略板状の部分１５の詰まった状態で存在する内部４９は、前記空洞の入口２８から、チューブ等の容器内で存在している時は液体で外に出ると固まる性質を持つ物質がその空洞に流し込まれて後固まった状態のものであり、前記勾配を有する略板状の部分の前部の上下の縦幅が前記勾配を有する略板状の部分の後部の上下の縦幅よりも短い理由は、その勾配を有する略板状の部分の内部に固まった状態で存在する物質が、前記勾配を有する略板状の部分の前先端部から外に出る状態となることを防ぐためである。
【発明を実施するための最良の形態】
【００２１】以下本発明の実施の形態を図面に基づき詳細に説明する。【００２２】冷凍用飲料容器１は、冷凍用飲料容器本体２とその冷凍用飲料容器本体が有する蓋部を装着する部分３に装着されている蓋部４とで構成されており、前記冷凍用飲料容器本体２は、その内部の空間５に在る水等の液体の容量が外からでも確認することが出来る透明度を有するプラスチック等の素材で出来ている。（図４、図５、図７、図８参照）【００２３】前記蓋部を装着する部分３の外周、そして、前記蓋部４の内周にはネジ溝が設けられており、それらの部分３と部品４が有するネジ溝を噛み合わすことで前記蓋部を装着する部分３の外周と前記蓋部４の内周の隙間は無くなり、そうなることで前記空間５の中に水が在ったとしてもその水は決して外に漏れることはなく、また、それらのネジ溝が在ることで前記冷凍用飲料容器１から前記蓋部４を取り外した後でもその蓋部４をその冷凍用飲料容器本体２に装着して前記冷凍用飲料容器１の状態をつくり出すことが出来る。（図６、図７、図８参照）【００２４】前記冷凍用飲料容器本体２の外側は底面６、前面７、前面の上の面８、左側面１１、左側面の上の面１２、右側面１３、右側面の上の面１４、後面９、後面の上の面１０、そして、蓋部を装着する部分３が外側からでも確認出来る状態で存在しており、そして、前記底面６が下になる状態で前記冷凍用飲料容器本体２を水平な平面状のところに置いた場合、前記蓋部を装着する部分は、同じ大きさで同じ形状で勾配を有している前記４つの面８、１０、１２、１４の中央に上先端部となる形で存在しており、そして、前記冷凍用飲料容器本体２の内部の前記空間５は蓋部を装着する部分の内部の空間４５、勾配を有する略板状の部分の蓋部を装着する部分側に存在する空間２６、勾配を有する略板状の部分の底面側に存在する空間２７の三つの空間で成り立っている。（図６、図９、図１１、図１４、図１５参照）【００２５】前記冷凍用飲料容器本体２を水平な平面状のところに前記底面６が下になる状態で置いた場合、その冷凍用飲料容器本体２が有する内部の前記空間５の上部には前記前面７の方から前記後面９の方にかけて斜め下に下がる状態で勾配を有する略板状の部分１５が存在している。（図４、図５、図２２、図２３、図２４参照）【００２６】前記冷凍用飲料容器本体２を前記底面６が下にくるように水平な平面状のところに置いた場合、前記勾配を有する略板状の部分１５の下部に在るその勾配を有する略板状の部分の後ろ先端部１７と、その後ろ先端部１７の後ろに位置する状態となっている後面の内面１８との間には水のような液体が通過できる状態の隙間２５が設けられており、その勾配を有する略板状の部分１５には、その前先端部１９が前面の上の面の内面１６に在るものと、前面の内面２０に在るものがある。（図２２、図２３、図２４参照）【００２７】上の〔００２６〕で述べているように前記勾配を有する略板状の部分１５の後ろ先端部１７と前記後面の内面１８との間には隙間は存在しているが、その他の前記勾配を有する略板状の部分１５の周囲には隙間は存在しておらず、即ち、前先端部１９が前記前面の内面２０に在る前記勾配を有する略板状の部分１５の場合は、その勾配を有する略板状の部分１５と前記前面の内面２０、左側面の内面２１、右側面の内面２２は隙間なく、その勾配を有する略板状の部分１５とそれら２０、２１、２２はつながっている状態であり、そして、前記前先端部１９が前記前面の上の面の内面に在る前記勾配を有する略板状の部分１５の場合は、その勾配を有する略板状の部分１５と前記前面の上の面の内面１６、左側面の上の面の内面２３、前記左側面の内面２１、右側面の上の面の内面２４、前記右側面の内面２２との間には隙間は存在しておらず、その勾配を有する略板状の部分１５とそれら１６、２３、２４、２１、２２はつながっている状態となっている。（図１０、図１２参照）。【００２８】前記勾配を有する略板状の部分１５の内部は詰まった状態になっているが、その詰まっている状態になっている部分、即ち、内部４９は、チューブ等の密封された容器内に在る時は液体であり、そのチューブ等の密封された容器から出て暫くすると固まる性質を持つ物質が固まった状態のものであり、前記液体が投入されるまえの前記空洞２９の状態の前記内部４９の左右は前記冷凍用飲料容器本体２の部分で塞がれており、即ち、前記空洞２９を囲む状態となって存在している後ろの部分も含めた周囲の部分で唯一空いた状態で存在している入り口２８か前記前面７に在る前記空洞２９の場合は、その空洞２９の左右は前記左右の側面１１、１３の部分によって、そして、入口２８が前記前面の上の面８に在る前記空洞２９の場合は、その空洞２９の左右は前記左右の側面の上の面１２、１４の部分と前記左右の側面１１、１３の部分によって塞がれた形となっており、前記勾配を有する略板状の部分１５は、その後部２４の上下の縦幅がその前部２３の上下の縦幅よりも長い形状となっているが、その形状となっている理由は、前記空洞の入口２８から投入され、後、その空洞２９の中で固まったものが、その空洞の入口２８から外に出る状態になることを防ぐためである。（図４図５、図１２、図１３、図１４、図１５、図１１参照【００２９】また、内部に前記空洞２９を有する前記勾配を有する略板状の部分１５を有する前記冷凍用飲料容器１の内部の前記空間５に水等の液体が充満する状態、または、ほぼ充満する状態にして、その前記空間５に水等の液体が入った前記冷凍用飲料容器１を手に持ってあらゆる角度になるようにしても、その勾配を有する略板状の部分１５も含めた前記冷凍用飲料容器１の形状が前記水等の重量等により変形しなければ前記勾配を有する略板状の部分１５の前記空洞２９には何も入れる必要はない。（図４、図１６、図１７参照）【００３０】そして、前記勾配を有する略板状の部分１５は、その勾配を有する略板状の部分１５が有する上を向いた面３０と同じように平面状の前記底面の方を向いた面３１を有しており、その下を向いた面３１からは複数本の棒状の物体４４が前記底面６の方に向って伸びている。（図１６、図１７参照）【００３１】上の〔００３０〕で述べている勾配を有する略板状の部分１５はその前先端部１９が前記前面の内面３７に在るものであり、前記前面の上の面の内面１６に前先端部１９が在る勾配を有する略板状の部分１５の場合は、その勾配を有する略板状の部分の下を向いた面３１から、そして、その勾配を有する略板状の部分の前先端部１９と前記その勾配を有する略板状の部分１５の下を向いた面３１とが交わるところよりも下の高さとなる前記前面の上の面の内面１６から前記底面６の方に向って複数本の棒状の物体４４が伸びている。（図９、図１１参照）【００３２】そして、前記勾配を有する略板状の部分１５の前記上を向いた面３０のその勾配を有する略板状の部分の前先端部１９の近くのところからは、その勾配を有する略板状の部分の前先端部１９が前面の内面３７、または前面の上の面の内面１６に在る無いに関係なく、複数本の棒状の物体４４が、前記底面６が下になる状態で前記冷凍用飲料容器１、または、前記冷凍用飲料容器本体２が垂直になった時は．上に向って伸びており、それら全ての棒状の物体４４の上となっている先端部は前記前面の上の面の内面１６と接続する形で存在している。（図１９、図２２、図２３、図２４参照）【００３３】前記底面６には二種類の形状のものが在り、その内の一種は、前記冷凍用飲料容器本体２を前記底面６が下になるように水平な平面状のところに置いた場合、その底面６の表面４０の全体がその水平な平面状のところに密着する形状をしたものであり、そして、もう一種は、底面６の表面４２の中央が上に向って凹んでおり、その凹みの周りの表面３８が前記水平な平面状のところに密着する形状をしているものである。（図１８、図２０、図２１、図９参照）【００３４】前記表面４２の全体が平面状である底面６の反対側の上方に在る前記空間５の方を向いた平面状の面、即ち、内面４１を前後に二等分した前側となる部分から、そして、前記平面状の表面３８の中央に凹み３９が在る底面６の内面４１を前後に二等分した前側に当たる部分の前記凹み３９の裏側に当たる部分を除いた部分からは複数本の棒状の物体４４が前記勾配を有する略板状の部分１５や前記前面の上の面の内面１６に向って伸びている。（図１７、図１８参照）【００３５】前記勾配を有する略板状の部分１５の前記下を向いた面３１や前記前面の上の面の内面１６から前記底面６に向って伸びる前記複数本の棒状の物体４４は、前記底面の内面４１から前記勾配を有する略板状の部分１５や前記前面の上の面の内面１６に向って伸びる複数本の棒状の物体４４の全ての棒状の物体４４とつながってそれぞれが一本の棒状の物体４４を形成しており、つまり、前記勾配を有する略板状の部分の底面側に存在する空間２７に存在する複数本の前記棒状の物体４４の全ての棒状の物体の一方の先端部は前記前面の上の面の内面１６や前記勾配を有する略板状の部分の下を向いた面３１とつながり、もう一方の先端部は前記底面の内面４１とつながっている形となっている。（図１８、図１９参照）【００３６】また、前記前面７には表面４２の全体が一枚の平面状の略板状となって出来ている表面４２を有する前面７と、最も前側に出る部分５０が平面状となっている微妙な凹凸の有る略平面状の表面４２を有する前面７とが在り、前記それらの前面７が下を向く状態で、それらの前面７を有する前記冷凍用飲料容器１、または、冷凍用飲料容器本体２を水平な平面状のところに置いた場合、前記底面６の最も外側に出ている平面状のところ４３は必ず垂直の状態となる。（図１９、図２８参照）【００３７】前記後面９には二種類の形が在り、その内の一種は前記前面７の表面４０が一枚の平面状で、略板状のものであれば、その前面７と前記空間５を挟んで向い合う後面９も前記前面７と同じように一枚の平面状の板で出来ている表面３２を有しており、それら二面７、９の表面４２、３２は全く同じ形で同じ大きさである。（図４、図５、図６、図１９、図２７参照）【００３８】そして、もう一種の前記後面９は、前記前面７が、凹凸の有る略平面状の表面を有する前面７の場合は、その前面７と前記空間５を挟んで存在するその後面９もその前面７と同じように凹凸の有る略平面状の表面を有しており、互いにその二面７、９の表面４２、３２は同じ形で同じ大きさである。（図１９参照）【００３９】また、前記左右の側面１１、１３、の最も外側に在る平面状のところ５１、５２は、前記前面の最も外側に在る平面状のところ５０や前記後面の最も外側に在る平面状のところ３３と必ず直角の位置関係に在り、それら左右の側面の表面４６、４８は、その左右の側面を有する前記冷凍用飲料容器１、または冷凍用飲料容器本体２が有する前記前面７の表面４２、そして、前記後面９の表面３２と全く同じ大きさで同じ形状をしている。（図４、図５、図６、図３０参照）【００４０】次は前記冷凍用飲料容器１の使用方法をその冷凍用飲料容器１、水コップ等の容器、そして、冷凍庫を用いて説明することにする。【００４１】その作業は、まず、前記冷凍用飲料容器１に水を入れる作業から行う。【００４２】その前記冷凍用飲料容器１に水を入れる作業は前記空間５が空となっている前記冷凍用飲料容器１の前記蓋部４を取り、前記冷凍用飲料容器本体２とし、その冷凍用飲料容器本体２を水平な平面状のところに前記底面６が下になるように置き、その冷凍用飲料容器本体２が有する前記蓋部を装着する部分の内部の空間の入口４７から水を入れてゆく。（図２２参照）【００４３】そして、その水が前記空間５の中に入り、その水の水面が前記勾配を有する略板状の部分の下先端部２１の高さよりも下の高さになるようにし、その水面が、その勾配を有する略板状の部分の下先端部２１の高さよりも上の高さにならないようにする。（図１１、図２２参照）【００４４】そして、その前記空間５の中に水の入った冷凍用飲料容器本体２に前記蓋部４を装着し、その空間５の中に水の入った状態の冷凍用飲料容器１を前記前面７が下を向く状態にして水平にするのであるが、その方法は、その冷凍用飲料容器１を手で持っても良いし、また、その冷凍用飲料容器１の前記前面７が下を向く状態にして、その冷凍用飲料容器１を水平な平面状のところに置いても良い。（図１８、図１９参照）【００４５】その時に、その冷凍用飲料容器１の前記空間５の中に在る水の状態が、その水の全てが前記勾配を有する略板状の部分の底面側に存在する空間２７に在ることを確認し、その勾配を有する略板状の部分の底面側に存在する空間２７に在る水が前記勾配を有する略板状の部分の蓋部を装着する部分側に存在する空間２６に流れ込まないように注意しながら、その冷凍用飲料容器１を冷凍庫に入れ、後、前記空間に存在する全ての水が凍った状態の前記冷凍用飲料容器を冷凍庫から取り出した時にその氷の全てが前記勾配を有する略板状の部分の底面側に存在する空間２７に在るのが最も良い状態であるが、前記氷が前記勾配を有する略板状の部分の底面側に存在する空間２７と前記勾配を有する略板状の部分の蓋部を装着する部分側に存在する空間２６の二つの空間２６  ２７に在ったとしても、その氷の一部が前記蓋部を装着する部分の内部の空間４５に入り込まない量であれば良い。（図２３、図２４参照）【００４６】すなわち前記空間５の中に水が存在する前記冷凍用飲料容器１を、その冷凍用飲料容器１が有する前面７が下を向く状態にして水平にし、その水平となった状態を保ったまま、冷凍庫に入れ、その冷凍庫内で前記空間５の水の全てが凍った状態の前記冷凍用飲料容器１を取り出し、後、その冷凍用飲料容器１を前記底面６が下になるように水平な平面状のところに置き、そして、前記蓋部４を取って前記冷凍用飲料容器本体２としたものに前記蓋部を装着する部分の内部の空間の入口４７から水を入れようとした場合、氷が前記蓋部を装着する部分の内部の空間４５を塞ぐ状態で存在している場合は、当然のことながら水はその下の他の空間２６、２７に行くことなく前記蓋部を装着する部分の内部の空間の入口４７からあふれ出し、また、前記蓋部を装着する部分の内部の空間４５に氷が少しでも存在している場合は、前記蓋部を装着する部分内部の空間の入口４７から水を注ごうとした場合、その水は、前記空間５の下の方までスムースに到達することは困難な状態となる。（図２５参照）【００４７】すなわち、前記底面６が下になった状態で水平な平面状のところに置かれた前記冷凍用飲料容器本体２の前記蓋部を装着する部分の内部の空間の入口４７から水を注いだ場合、その注がれて垂直に落ちた水が直接前記勾配を有する略板状の部分の上を向いた面３０に当たる状態になれば良いわけであり、その状態になれば、その水は、前記勾配を有する略板状の部分の後ろ先端部１７と前記後面の内面１８とに空く隙間２５を通ってその下の前記勾配を有する略板状の部分の底面側に存在する空間２７に入って前記底面の内面４１にたどり付き、引き続き、前記蓋部を装着する部分の内部の空間の入口４７から水を注げば、その水の表面は、その蓋部を装着する部分の内部の空間の入口４７まで上がっていくこととなる。（図２３、図２４、図２２参照）【００４８】次は、上の〔００４７〕のようにして前記蓋部を装着する部分の内部の空間の入口４７に水面が存在する状態となって前記空間５に水と氷が存在する前記冷凍用飲料容器本体２の前記空間５に存在する水の全てをコップに注ぐ方法について説明することにする。【００４９】また、上の〔００４７〕のように前記冷凍用飲料容器本体２に水を注いでその水の表面が前記蓋部を装着する部分の内部の空間の入口４７に存在するようになれば前記勾配を有する略板状の部分の下を向いた面３１の一ケ所には空気が存在する状態になるかもしれないが、その空気が存在する状態になったとしても前記冷凍用飲料容器本体２の前記空間５の中に在る水をコップに移す作業には差し支えはない。（図２４参照）【００５０】前記水平な平面状のところに前記底面６が下になる状態になるように置いた前記空間５の中に在る水の���面が前記蓋部を装着する部分の内部の入口４７に在る前記冷凍用飲料容器本体２の中に在る水をコップに注ぐ方法は、その冷凍用飲料容器本体２を手に持って斜めにしてゆけば、当然のことながら、水はま下に落ちるので前記蓋部を装着する部分の内部の空間４５の入口から水が出るので、その蓋部を装着する部分の内部の空間の入口４７のま下にコップを置けば水はそのコップの中に注ぎ込まれる。（図２６参照）【００５１】前記冷凍用飲料容器本体２の前記空間５の中の水は上の〔００５０〕の方法を用いればある程度までは減っていくが、そのある程度減るまでは前記前後の面７、９、及び前記左右の側面１１、１３は、どの方向を向いていても構わない。（図２６参照）【００５２】また、前記冷凍用飲料容器本体２の前記空間５の中に在る氷以外の水の全てを、その冷凍用飲料容器本体２から出す場合は、前記後面９が下を向く状態になるようにその冷凍用飲料容器本体２を水平にして、除々にゆっくりと前記蓋部を装着する部分３を下になるようにし、そして、前記後面９、または前記前面７がま横を向く状態になるようにすれば、前記空間５の中の水の全てをその冷凍用飲料容器本体２から出すことが出来る。（図２７、図２８参照）【００５３】また、前記空間５の中に水が無く氷のみが存在している状態となっている前記冷凍用飲料容器、１、または、前記冷凍用飲料容器本体２を前記後面９が下を向くようにして水平にした場合、前記氷は上に在る状態となっている前記前面の内面３７の付近に固まって在る状態となっているが、前記氷の内部には、その氷を貫く状態で複数本の前記棒状の物体４４が存在しており、それら複数本の前記棒状の物体４４は、前記氷が下に落ちる状態になることを防ぐ役目をしている。（図２９参照）【００５４】図２９のように前記冷凍用飲料容器本体２をその前面７が上に向くように水平の状態にして手に持った場合、その冷凍用飲料容器本体２の空間５の内部に存在する氷が前面の上の面の内面１６と前面の内面３７に張り付く状態となり、その氷の下に水も無く、水の浮力により氷が浮かんでいない状態になっていなくてもその氷が下に落ちない理由は、それらの氷を貫通する状態で複数の棒状の物体４４がその空間５の中に存在し、それらの棒状の物体４４がその氷を下に落ちない役目を果していることが最も大きな原因であるがその複数の棒状の物体４４が前記空間５の中に存在していない冷凍用飲料容器本体２の場合は、前記空間５の中には底面の内面４１から勾配を有する略板状の部分１５に向って突き出た状態で、勾配を有する略板状の部分の下を向いた面３１から前記底面の内面４１に向って突き出た状態で前記前面の上の面の内面１６から前記勾配を有する略板状の部分に向って突き出た状態で、そして、勾配を有する略板状の部分の上を向いた面３０から上、即ち、前記前面の上の面の内面１６に向って突き出た状態で複数の凸部５３が存在している形状になっているか、または、前記前面の内面３７から後面９に向って突き出た状態で、前記前面の上の面の内面１６から前記後面９に向って突き出た状態で、左右の側面１１、１３の方から見ればＴ字状、または略Ｔ字状となって見える複数の凸状５４、または、上、または下から見ればＴ字状、ま���は略Ｔ字状となって見える凸部５５が複数存在している形状になっており、空間内に向って突き出た状態で存在するそれら複数の凸部５４、５５が、前記冷凍用飲料容器１、または前記冷凍用飲料容器本体２を、その前面７が上になる状態にして水平になるように手に持って、その空間５の中に存在する氷が前記前面の上の面の内面１６と前記前面の内面３７に張り付く状態で上になる形となり、その氷の下に水が存在する形となっていない場合でも、それら凸部５４、５５が前記氷の中に存在する形となっていれば前記氷は下に落ちることはない。（図２９、図３１、図３２、図３３、図３４参照）
【産業上の利用可能性】
【００５５】
2015217989.tif 000009
凍用飲料容器１を横にして冷凍庫に入れ、後、前記水の全てが凍って氷になった状態の前記冷凍用飲料容器１を前記冷凍庫から取り出した時に、前記蓋部を装着する部分の内部の空間４５とその付近は何も無く空いている状態なので水を前記空間５の中に入れることが出来、人物は氷によって冷やされた水を飲むことが出来る。
【図面の簡単な説明】
【００５６】
【図１】
2015217989.tif 000010
【図２】図１のペットボトルを水平な平面状のところに寝かせる状態にして横にしてそのペットボトルの内部の様子をそのペットボトルの縦縦断断面図を用いて現している図である。
【図３】図２の状態のまま空間の中の水の全てが凍ったペットボトルを水平な平面状のところに立てて蓋部を取り、そのペットボトルに水を入れようとしてもそのペットボトルの内部に水が入らない様子をそのペットボトルの縦縦断断面図を用いて現している図である。
【図４】水平な平面状のところに置かれた前先端部が前面の内面に在る勾配を有する略板状の部分を有する冷凍用飲料容器を、その冷凍用飲料容器の左側面、後面、左側面の上の面、後面の上の面が見える斜め上の角度で視た時のその冷凍用飲料容器が見える状態を描いた図である。
【図５】水平な平面状のところに置かれた前先端部が前面の内面に在る勾配を有する略板状の部分を有している凹凸の有る前後と左右の側面を持つ冷凍用飲料容器を、その冷凍用飲料容器の左側面、後面、左側面の上の面、後面の上の面が見える斜め上の角度で視た時のその冷凍用飲料容器が見える状態を描いた図である。
【図６】図４の冷凍用飲料容器をま上から視た時にその冷凍用飲料容器の見える状態を描いた図である。
【図７】垂直となった冷凍用飲料容器本体の蓋部を装着する部分とその付近の外側に面したところを描いた図である。
【図８】垂直になった冷凍用飲料容器の蓋部を装着する部分に装着されている蓋部のところの蓋部を装着する部分と蓋部との内部の状態を、その蓋部を装着する部分に装着されている蓋部のところの縦縦断断面図を用いて現している図である。
【図９】水平な平面状のところに置かれた表面中央に凹みが有る底面と、前先端部が前面の内面に在る勾配を有する略板状の部分の下に水面が在る状態となって水が空間に存在している冷凍用飲料容器の内部の様子をその冷凍用飲料容器の縦縦断断面図を用いて現している図である。
【図１０】
2015217989.tif 000011
【図１１】水平な平面状のところに置かれた前先端部が前面の上の面の内面に在る勾配を有する略板状の部分の下先端部の下に水面が在る状態で水が空間内に存在している冷凍用飲料容器の内部の状態をその冷凍用飲料容器の縦縦断断面図を用いて現している図である。
【図１２】
2015217989.tif 000012
【図１３】水平な平面状のところに後面が下になるように置かれた冷凍用飲料容器の内部が空洞の勾配を有する略板状の部分の前面に存在するその空洞の入口からチューブに入っている液体を流し込む様子をその冷凍用飲料容器の縦縦断断面図を用いて現している図である。
【図１４】水平な平面状のところに底面が下になるように置かれた内部が空洞の勾配を有する略板状の部分を有する冷凍用飲料容器を正面から視ることにより、その内部が空洞の勾配を有する略板状の部分の空洞の入口が前面の上の面に在ることを現した図である。
【図１５】水平な平面状のところに底面が下になるように置かれた内部が空洞の勾配を有する略板状の部分を有する冷凍用飲料容器を正面から視ることにより、その内部が空洞の勾配を有する略板状の部分の空洞の入口が前面に在ることを現した図である。
【図１６】空間に水の入った状態の図１５の冷凍用飲料容器を、その空間に存在する水の全てが勾配を有する略板状の部分の底面側に存在する空間に在るように手に持って斜めにしてもその勾配を有する略板状の部分の形状が変わらない様子をその冷凍用飲料容器の縦縦断断面図を用いて現している図である。
【図１７】空間に水の入った状態の図１５の冷凍用飲料容器を、その空間に存在する水の全てが勾配を有する略板状の部分の蓋部を装着する部分側に存在する空間に在るように斜めにしてもその勾配を有する略板状の部分の形状が変わらない様子をその冷凍用飲料容器の縦縦断断面図を用いて現している図である。
【図１８】前先端部が前面の内面に在る勾配を有する略板状の部分を持ち、表面の中央が凹んだ状態の底面を有する冷凍用飲料容器の前面が下を向くようにその冷凍用飲料容器を水平な平面状のところに置いた場合、その冷凍用飲料容器の水の全てが勾配を有する略板状の部分の底面側に存在する空間に在る状態を、その冷凍用飲料容器の縦縦断断面図を用いて現している図である。
【図１９】水平な平面状のところに前面が下を向く状態で置かれた、前先端部が前面の内面に在る勾配を有する略板状の部分の底面側に存在する空間に、空間に存在する水の全てが在る凹凸の有る前後と左右の面を有する冷凍用飲料容器の内部を、その冷凍用飲料容器の縦縦断断面図を用いて現している図である。
【図２０】表面の全体が平面状である底面を外から視た図である。
【図２１】中央に凹んだ部分の在る底面の表面を外から視た図である。
【図２２】水平な平面状のところに底面が下になるように置かれた前先端部が前面の内面に在る勾配を有する略板状の部分を持つ冷凍用飲料容器本体に水を入れはじめた時のその内部の様子を、その冷凍用飲料容器本体の縦縦断断面図を用いて現している図である。
【図２３】水平な平面状のところに底面が下になるように置かれた前先端部が前面の内面に在る勾配を有する略板状の部分の底面側に存在する空間に氷が存在している冷凍用飲料容器本体に水を入れている時のその内部の様子をその冷凍用飲料容器本体の縦縦断断面図を用いて現している図である。
【図２４】水平な平面状のところに底面が下になるように置かれた、氷が、前先端部が前面の上の面の内面に在る勾配を有する略板状の部分の底面側に存在する空間と蓋部の装着する部分側に存在する空間に在る冷凍用飲料容器本体の空間に水が入るように出来ることを、その冷凍用飲料容器本体の縦縦断断面図を用いて現している図である。
【図２５】水平な平面状のところに底面が下になるように置かれた氷が前先端部が前面の内面に在る勾配を有する略板状の部分の底面側に存在する空間と蓋部を装着する部分側に存在する空間、そして、蓋部を装着する部分の内部の空間に在る冷凍用飲料容器本体に水をいれようとした場合、前述の蓋部を装着する部分の内部の空間に存在する氷がその蓋部を装着する部分の内部の空間を塞ぐ状態で存在していれば、水は空間の内部に入ることが出来ない様子を、その冷凍用飲料容器本体の縦縦断断面図を用いて現している図である。
【図２６】空間の内部に水と氷が存在している冷凍用飲料容器本体を手に持ちその空間に存在する水をコップ内に入れていく様子とその冷凍用飲料容器本体の内部の状態を、その冷凍用飲料容器本体の縦縦断断面図を用いて現している図である。
【図２７】前先端部が前面の上の内面に在る勾配を有する略板状の部分の底面側に存在する空間に氷が在り、そして、水が空間の一部に在る冷凍用飲料容器を、その後面が下になるように水平な平面状のところに置いた場合、空間の後面の内面側に水が貯まる様子をその冷凍用飲料容器の縦縦断断面図を用いて現している図である。
【図２８】図２７の冷凍用飲料容器の蓋部を取り外した冷凍用飲料容器本体を手に持って逆さにすることで、その冷凍用飲料容器を本体のま下に在るコップに水が入り、その冷凍用飲料容器本体の水の全てが無くなり、空間には氷のみが存在している様子を、その冷凍用飲料容器本体の縦縦断断面図を用いて現している図である。
【図２９】空間の、前先端部が前面の上の面の内面に在る勾配を有する略板状の部分の蓋部を装着する部分側に存在する空間と底面側に存在する空間に氷のみが存在する冷凍用飲料容器を前面が上になる状態にして水平になるように手に持っても、前記氷が下に落ちることがない様子をその冷凍用飲料容器の縦縦断断面図を用いて現している図である。
【図３０】水平な平面状のところに底面が下になるように置かれた前後の面と左右の側面の交わるところの角が削られた冷凍用飲料容器をま上から視た図である。
【図３１】水平な平面状のところに底面が下になるように置かれた、内部の空間に複数の凸部を有する冷凍用飲料容器本体を、その冷凍用飲料容器本体の左側面側から視る角度でその冷凍用飲料容器の内部の様子を現した図である。
【図３２】図３１の冷凍用飲料容器本体の底面から出ている凸部のすぐ上のところを水平に切断して、その切断面を上から視た図である。
【図３３】
2015217989.tif 000013
【図３４】下部に上から見た場合に略Ｔ字状となって見える複数の凸部が存在する冷凍用飲料容器本体の、前先端部が前面の内面に在る勾配を有する略板状の部分の前先端部よりも下の高さのところを切断し、その切断面を上から視た図である。
【符号の説明】
【００５７】１、冷凍用飲料容器
２、冷凍用飲料容器本体
３  蓋部を装着する部分
４  蓋部
５、空間
６、底面
７、前面
８、前面の上の面
９、後面
１０、後面の上の面
１１、左側面
１２、左側面の上の面
１３、右側面
１４、右側面の上の面
１５、勾配を有する略板状の部分
１６、前面の上の面の内面
１７、勾配を有する略板状の部分の後ろ先端部
１８、後面の内面
１９、勾配を有する略板状の部分の前先端部
２０、左側面の内面
２１、勾配を有する略板状の部分の下先端部
２２、勾配を有する略板状の部分の上先端部
２３、勾配を有する略板状の部分の前部
２４、勾配を有する略板状の部分の後部
２５、勾配を有する略板状の部分の後ろ先端部と後面の内面とに空く隙間
２６、勾配を有する略板状の部分の蓋部を装着する部分側に存在する空間
２７、勾配を有する略板状の部分の底面側に存在する空間
２８、勾配を有する略板状の部分の内部の空洞の入口
２９、勾配を有する略板状の部分の内部の空洞
３０、勾配を有する略板状の部分の上を向いた面
３１、勾配を有する略板状の部分の下を向いた面
３２、後面の表面
３３、後面の最も外側に在る平面状のところ
３４、勾配を有する略板状の部分の前面と重なるところ
３５、勾配を有する略板状の部分の前面の内面と重なるところ
３６、勾配を有する略板状の部分の前先端部となるところ
３７、前面の内面
３８、底面の凹みの周りの部分
３９、底面の凹みの部分
４０、底面の表面
４１、底面の内面
４２、前面の表面
４３、底面の最も外側に在る平面状のところ
４４、棒状の物体
４５、蓋部を装着する部分の内部の空間
４６、左側面の表面
４７、蓋部を装着する部分の内部の空間の入口
４８、右側面の表面
４９、勾配を有する略板状の部分の内部
５０、前面の最も外側に在る平面状のところ
５１、左側面の最も外側に在る平面状のところ
５２、右側面の最も外側に在る平面状のところ
５３、凸部
５４、左右いづれかの側面側から見ると略Ｔ字状となって見える凸部
５５、上、又は下から見た場合、略Ｔ字状、又はＴ字状となって見える凸部
【図１】
2015217989.tif 000014
【図２】
2015217989.tif 000015
【図３】
2015217989.tif 000016
【図４】
2015217989.tif 000017
【図５】
2015217989.tif 000018
【図６】
2015217989.tif 000019
【図７】
2015217989.tif 000020
【図８】
2015217989.tif 000021
【図９】
2015217989.tif 000022
【図１０】
2015217989.tif 000023
【図１１】
2015217989.tif 000024
【図１２】
2015217989.tif 000025
【図１３】
2015217989.tif 000026
【図１４】
2015217989.tif 000027
【図１５】
2015217989.tif 000028
【図１６】
2015217989.tif 000029
【図１７】
2015217989.tif 000030
【図１８】
2015217989.tif 000031
【図１９】
2015217989.tif 000032
【図２０】
2015217989.tif 000033
【図２１】
2015217989.tif 000034
【図２２】
2015217989.tif 000035
【図２３】
2015217989.tif 000036
【図２４】
2015217989.tif 000037
【図２５】
2015217989.tif 000038
【図２６】
2015217989.tif 000039
【図２７】
2015217989.tif 000040
【図２８】
2015217989.tif 000041
【図２９】
2015217989.tif 000042
【図３０】
2015217989.tif 000043
【図３１】
2015217989.tif 000044
【図３２】
2015217989.tif 000045
【図３３】
2015217989.tif 000046
【図３４】
2015217989.tif 000047
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
冷凍用飲料容器本体２とその冷凍用飲料容器本体２に装着されている蓋部４とで成る冷凍用飲料容器１であって、前記冷凍用飲料容器本体２の上部には内部を上下に仕切る状態で板状の部材１５が設けられており、前記板状の部材１５は前記冷凍用飲料容器本体２を立てた状態でその側面内面の一側位置から先端が他側近傍まで斜め下り勾配を有して延び、前記板状の部材１５の先端と前記側壁内面の他側との間には隙間２５が形成されていることを特徴とする冷凍用飲料容器。
【請求項２】
前記内部には棒状の物体４４、または凸部が存在していることを特徴とする請求項１記載の冷凍用飲料容器。
【手続補正２】
【補正対象書類名】明細書
【補正対象項目名】００２４
【補正方法】変更
【補正の内容】
【００２４】前記冷凍用飲料容器本体２の外側は底面６、前面７、前面の上の面８、左側面１１、左側面の上の面１２、右側面１３、右側面の上の面１４、後面９、後面の上の面１０、そして、蓋部を装着する部分３が外側からでも確認出来る状態で存在しており、そして、前記底面６が下になる状態で前記冷凍用飲料容器本体２を水平な平面状のところに置いた場合、前記蓋部を装着する部分は、同じ大きさで同じ形状で勾配を有している前記４つの面８、１０、１２、１４の中央に上先端部となる形で存在しており、そして、前記冷凍用飲料容器本体２の内部の前記空間５は蓋部を装着する部分の内部の空間４５、  板状の部材  の蓋部を装着する部分側に存在する空間２６、  板状の部材  の底面側に存在する空間２７の三つの空間で成り立っている。（図６、図９、図１１、図１４、図１５参照）
【手続補正３】
【補正対象書類名】明細書
【補正対象項目名】００２５
【補正方法】変更
【補正の内容】
【００２５】前記冷凍用飲料容器本体２を水平な平面状のところに前記底面６が下になる状態で置いた場合、その冷凍用飲料容器本体２が有する内部の前記空間５の上部には前記前面７の方から前記後面９の方にかけて斜め下に下がる状態で勾配を有する  板状の部材  １５が存在している。（図４、図５、図２２、図２３、図２４参照）
【手続補正４】
【補正対象書類名】明細書
【補正対象項目名】００２６
【補正方法】変更
【補正の内容】
【００２６】前記冷凍用飲料容器本体２を前記底面６が下にくるように水平な平面状のところに置いた場合、前記  板状の部材  １５の下部に在るその  板状の部材  の後ろ先端部１７と、その後ろ先端部１７の後ろに位置する状態となっている後面の内面１８との間には水のような液体が通過できる状態の隙間２５が設けられており、その  板状の部材  １５には、その前先端部１９が前面の上の面の内面１６に在るものと、前面の内面２０に在るものがある。（図２２、図２３、図２４参照）
【手続補正５】
【補正対象書類名】明細書
【補正対象項目名】００２７
【補正方法】変更
【補正の内容】
【００２７】上の〔００２６〕で述べているように前記  板状の部材  １５の後ろ先端部１７と前記後面の内面１８との間には隙間は存在しているが、その他の前記１５の周囲には隙間は存在しておらず、即ち、前先端部１９が前記前面の内面２０に在る前記  板状の部材  １５の場合は、その  板状の部材  １５と前記前面の内面２０、左側面の内面２１、右側面の内面２２は隙間なく、その  板状の部材  １５とそれら２０、２１、２２はつながっている状態であり、そして、前記前先端部１９が前記前面の上の面の内面に在る前記  板状の部材  １５の場合は、その１５と前記前面の上の面の内面１６、左側面の上の面の内面２３、前記左側面の内面２１、右側面の上の面の内面２４、前記右側面の内面２２との間には隙間は存在しておらず、その  板状の部材  １５とそれら１６、２３、２４、２１、２２はつながっている状態となっている。（図１０、図１２参照）。
【手続補正６】
【補正対象書類名】明細書
【補正対象項目名】００２８
【補正方法】変更
【補正の内容】
【００２８】前記  板状の部材  １５の内部は詰まった状態になっているが、その詰まっている状態になっている部分、即ち、内部４９は、チューブ等の密封された容器内に在る時は液体であり、そのチューブ等の密封された容器から出て暫くすると固まる性質を持つ物質が固まった状態のものであり、前記液体が投入されるまえの前記空洞２９の状態の前記内部４９の左右は前記冷凍用飲料容器本体２の部分で塞がれており、即ち、前記空洞２９を囲む状態となって存在している後ろの部分も含めた周囲の部分で唯一空いた状態で存在している入り口２８か前記前面７に在る前記空洞２９の場合は、その空洞２９の左右は前記左右の側面１１、１３の部分によって、そして、入口２８が前記前面の上の面８に在る前記空洞２９の場合は、その空洞２９の左右は前記左右の側面の上の面１２、１４の部分と前記左右の側面１１、１３の部分によって塞がれた形となっており、前記  板状の部材  １５は、その後部２４の上下の縦幅がその前部２３の上下の縦幅よりも長い形状となっているが、その形状となっている理由は、前記空洞の入口２８から投入され、後、その空洞２９の中で固まったものがその空洞の入口２８から外に出る状態になることを防ぐためである。（図４、図５、図１２、図１３、図１４、図１５、図１１参照
【手続補正７】
【補正対象書類名】明細書
【補正対象項目名】００２９
【補正方法】変更
【補正の内容】
【００２９】また、内部に前記空洞２９を有する前記  板状の部材  １５を有する前記冷凍用飲料容器１の内部の前記空間５に水等の液体が充満する状態またはほぼ充満する状態にして、その前記空間５に水等の液体が入った前記冷凍用飲料容器１を手に持ってあらゆる角度になるようにしても、その  板状の部材  １５も含めた前記冷凍用飲料容器１の形状が前記水等の重量等により変形しなければ前記  板状の部材  １５の前記空洞２９には何も入れる必要はない。（図、４、図１６、図１７参照）
【手続補正８】
【補正対象書類名】明細書
【補正対象項目名】００３０
【補正方法】変更
【補正の内容】
【００３０】そして、前記  板状の部材  １５は、その  板状の部材  １５が有する上を向いた面３０と同じように平面状の前記底面  の方を向いた面３１を有しており、その下を向いた面３１からは複数本の棒状の物体４４が前記底面６の方に向って伸びている。（図１６、図１７参照）
【手続補正９】
【補正対象書類名】明細書
【補正対象項目名】００３１
【補正方法】変更
【補正の内容】
【００３１】上の〔００３０〕で述べている  板状の部材  １５はその前先端部１９が前記前面の内面３７に在るものであり、前記前面の上の面の内面１６に前先端部１９が在る  板状の部材  １５の場合は、その  板状の部材  の下を向いた面３１から、そして、その  板状の部材  の前先端部１９と前記その  ，１５の下を向いた面３１とが交わるところ  よりも下の高さとなる前記前面の上の面の内面１６から前記底面６の方に向って複数本の棒状の物体４４が伸びている。（図９、図１１参照）
【手続補正１０】
【補正対象書類名】明細書
【補正対象項目名】００３２
【補正方法】変更
【補正の内容】
【００３２】そして、前記  板状の部材  １５の前記上を向いた面３０のその  板状の部材  の前先端部１９の近くのところからは、その  板状の部材  の前先端部１９が前面の内面３７、または、前面の上の面の内面１６に在る無いに関係なく、複数本の棒状の物体４４が、前記底面６が下になる状態で前記冷凍用飲料容器１、または、前記冷凍用飲料容器本体２が垂直になった時は、上に向って伸びており、それら全ての棒状の物体４４の上となっている先端部は前記前面の上の面の内面１６と接続する形で存在している。（図１９、図２２、図２３、図２４参照）
【手続補正１１】
【補正対象書類名】明細書
【補正対象項目名】００３４
【補正方法】変更
【補正の内容】
【００３４】前記表面４２の全体が平面状である底面６の反対側の上方に在る前記空間５の方を向いた平面状の面、即ち、内面４１を前後に二等分した前側となる部分から、そして、前記平面状の表面３８の中央に凹み３９が在る底面６の内面４１を前後に二等分した前側に当たる部分  の前記凹み３９の裏側に当たる部分を除いた部分  からは複数本の棒状の物体４４が前記  板状の部材  １５や前記前面の上の面の内面１６に向って伸びている。（図１７、図１８参照）
【手続補正１２】
【補正対象書類名】明細書
【補正対象項目名】００３５
【補正方法】変更
【補正の内容】
【００３５】前記  板状の部材  １５の前記下を向いた面３１や前記前面の上の面の内面１６から前記底面６に向って伸びる前記複数本の棒状の物体４４は、前記底面の内面４１から前記  板状の部材  １５や前記前面の上の面の内面１６に向って伸びる複数本の棒状の物体４４の全ての棒状の物体４４とつながってそれぞれが一本の棒状の物体４４を形成しており、つまり、前記  板状の部材  の底面側に存在する空間２７に存在する複数本の前記棒状の物体４４の全ての棒状の物体の一方の先端部は前記前面の上の面の内面１６や前記  板状の部材  の下を向いた面３１とつながり、もう一方の先端部は前記底面の内面４１とつながっている形となっている。（図１８、図１９参照）
【手続補正１３】
【補正対象書類名】明細書
【補正対象項目名】００４３
【補正方法】変更
【補正の内容】
【００４３】そして、その水が前記空間５の中に入り、その水の水面が前記  板状の部材  の下先端部２１の高さよりも下の高さになるようにし、その水面が、その  板状の部材  の下先端部２１の高さよりも上の高さにならないようにする。（図１１、図２２参照）
【手続補正１４】
【補正対象書類名】明細書
【補正対象項目名】００４５
【補正方法】変更
【補正の内容】
【００４５】その時に、その冷凍用飲料容器１の前記空間５の中に在る水の状態が、その水の全てが前記  板状の部材  の底面側に存在する空間２７に在ることを確認し、その  板状の部材  の底面側に存在する空間２７に在る水が前記  板状の部材  の蓋部を装着する部分側に  存在する空間２６に流れ込まないように注意しながら、その冷凍用飲料容器１を冷凍庫に入れ、後、前記空間  に存在する全ての水が凍った状態の前記冷凍用飲料容器  を冷凍庫から取り出した時にその氷の全てが前記  板状の部材  の底面側に存在する空間２７に在るのが最も良い状態であるが、前記氷が前記  板状の部材  の底面側に存在する空間２７と前記  板状の部材  の蓋部を装着する部分側に存在する空間２６の二つの空間２６  ２７に在ったとしても、その氷の一部が前記蓋部を装着する部分の内部の空間４５に入り込まない量であれば良い。（図２３、図２４参照）
【手続補正１５】
【補正対象書類名】明細書
【補正対象項目名】００４７
【補正方法】変更
【補正の内容】
【００４７】すなわち、前記底面６が下になった状態で水平な平面状のところに置かれた前記冷凍用飲料容器本体２の前記蓋部を装着する部分の内部の空間の入口４７から水を注いだ場合、その注がれて  垂直に落ちた水が直接前記  板状の部材  の上を向いた面３０に当たる状態になれば良いわけであり、その状態になれば、その水は、前記  板状の部材  の後ろ先端部１７と前記後面の内面１８とに空く隙間２５を通ってその下の前記  板状の部材  の底面側に存在する空間２７に入って前記底面の内面４１にたどり付き、引き続き、前記蓋部を装着する部分の内部の空間の入口４７から水を注げば、その水の表面は、その蓋部を装着する部分の内部の空間の入口４７まで上がっていくこととなる。（図２３、図２４、図２２参照）
【手続補正１６】
【補正対象書類名】明細書
【補正対象項目名】００４９
【補正方法】変更
【補正の内容】
【００４９】また、上の〔００４７〕のように前記冷凍用飲料容器本体２に水を注いでその水の表面が前記蓋部を装着する部分の内部の空間の入口４７に存在するようになれば前記  板状の部材  の下を向いた面引の一ヶ所には空気が存在する状態になるかもしれないが、その空気が存在する状態になったとしても前記冷凍用飲料容器本体２の前記空間５の中に在る水をコップ
2015217989.tif 000048
【手続補正１７】
【補正対象書類名】明細書
【補正対象項目名】００５４
【補正方法】変更
【補正の内容】
【００５４】図２９のように前記冷凍用飲料容器本体２をその前面７が上に向くように水平の状態にして手に持った場合、その冷凍用飲料容器本体２の空間５の内部に存在する氷が前面の上の面の内面１６と前面の内面３７に張り付く状態となり、その氷の下に水も無く、水の浮力により氷が浮かんでいない状態になっていなくてもその氷が下に落ちない理由は、それらの氷を貫通する状態で複数の棒状の物体４４がその空間５の中に存在し、それらの棒状の物体４４がその氷を下に落ちない役目を果していることが最も大きな原因であるがその複数の棒状の物体４４が前記空間５の中に存在していない冷凍用飲料容器本体２の場合は、前記空間５の中には底面の内面４１から  板状の部材  １５に向って突き出た状態で、  板状の部材  の下を向いた面３１から前記底面の内面４１に向って突き出た状態で前記前面の上の面の内面１６から前記  板状の部材  に向って突き出た状態で、そして、  板状の部材  の上を向いた面３０から上、即ち、前記前面の上の面の内面１６に向って突き出た状態で複数の凸部５３が存在している形状になっているか、または、前記前面の内面３７から後面９に向って突き出た状態で、前記前面の上の面の内面１６から前記後面９に向って突き出た状態で、左右の側面１１、１３の方から見ればＴ字状、または略Ｔ字状となって見える複数の凸部５４、または、上、または下から見ればＴ字状、または略Ｔ字状となって見える凸部５５が複数存在している形状になっており、空間内に向って突き出た状態で存在するそれら複数の凸部５４、５５が、前記冷凍用飲料容器１、または前記冷凍用飲料容器本体２を、その前面７が上になる状態にして水平になるように手に持って、その空間５の中に存在する氷が前記前面の上の面の内面１６と前記前面の内面３７に張り付く状態で上になる形となり、その氷の下に水が存在する形となっていない場合でも、それら凸部５４、５５が前記氷の中に存在する形となっていれば前記氷は下に落ちることはない。（図２９  図３１、図３２、図３３、図３４参照）
【手続補正１８】
【補正対象書類名】明細書
【補正対象項目名】００５６
【補正方法】変更
【補正の内容】
【００５６】
【図１】高さが３０ｃｍほどで容量が１．８リットルから２リットルの空間の中に、その空間の容積１３／２０ほどの水が入ったペットボトルが水平な平面状のところに置かれた状態を外から視た時にそのペットボトルの見える状態を現した図である。
【図２】図２のペットボトルを水平な平面状のところに寝かせる状態にして横にしてそのペットボトルの内部の様子をそのペットボトルの縦縦断断面図を用いて現している図である。
【図３】図２の状態のまま空間の中の水の全てが凍ったペットボトルを水平な平面状のところに立てて蓋部を取り、そのペットボトルに水を入れようとしてもそのペットボトルに内部に水が入らない様子をそのペットボトルの縦縦断断面図を用いて現している図である。
【図４】水平な平面状のところに置かれた前先端部が前面の内面に在る  板状の部材  を有する冷凍用飲料容器を、その冷凍用飲料容器の左側面、後面、左側面の上の面、後面の上の面が見える斜め上の角度で視た時のその冷凍用飲料容器が見える状態を描いた図である。
【図５】水平な平面状のところに置かれた前先端部が前面の内面に在る  板状の部材  を有している凹凸の有る前後と左右の側面を持つ冷凍用飲料容器を、その冷凍用飲料容器の左側面、後面、左側面の上の面、後面の上の面が見える斜め上の角度で視た時のその冷凍用飲料容器が見える状態を描いた図である。
【図６】図４の冷凍用飲料容器をま上から視た時にその冷凍用飲料容器の見える状態を描いた図である。
【図７】垂直となった冷凍用飲料容器本体の蓋部を装着する部分とその付近の外側に面したところを描いた図である。
【図８】垂直になった冷凍用飲料容器の蓋部を装着する部分に装着されている蓋部のところの蓋部を装着する部分と蓋部との内部の状態を、その蓋部を装着する部分に装着されている蓋部のところの縦縦断断面図を用いて現している図である。
【図９】水平な平面状のところに置かれた表面中央に凹みが有る底面と、前先端部が前面の内面に在る勾配を有する略板状の部分の下に水面が在る状態となって水が空間に存在している冷凍用飲料容器の内部の様子をその冷凍用飲料容器の縦縦断断面図を用いて現している図である。
【図１０】
2015217989.tif 000049
【図１１】
2015217989.tif 000050
【図１２】
2015217989.tif 000051
【図１３】水平な平面状のところに後面が下になるように置かれた冷凍用飲料容器の内部が空洞の勾配を有する略板状の部分の前面に存在するその空洞の入口からチューブに入っている液体を流し込む様子をその冷凍用飲料容器の縦縦断断面図を用いて現している図である。
【図１４】水平な平面状のところに底面が下になるように置かれた内部が空洞の勾配を有する略板状の部分を有する冷凍用飲料容器を正面から視ることにより、その内部が空洞の  板状の部材  の空洞の入口が前面の上の面に在ることを現した図である。
【図１５】水平な平面状のところに底面が下になるように置かれた内部が空洞の  板状の部材  を有する冷凍用飲料容器を正面から視ることにより、その内部が空洞の  板状の部材  の空洞の入口が前面に在ることを現した図である。
【図１６】空間に水の入った状態の図１５の冷凍用飲料容器を、その空間に存在する水の全てが  板状の部材  の底面側に存在する空間に在るように手に持って斜めにしてもその  板状の部材  の形状が変わらない様子をその冷凍用飲料容器の縦縦断断面図を用いて現している図である。
【図１７】空間に水の入った状態の図１５の冷凍用飲料容器を、その空間に存在する水の全てが  板状の部材  の蓋部を装着する部分側に存在する空間に在るように斜めにしてもその  板状の部材  の形状が変わらない様子をその冷凍用飲料容器の縦縦断断面図を用いて現している図である。
【図１８】前先端部が前面の内面に在る  板状の部材  を持ち表面の中央が凹んだ状態の底面を有する冷凍用飲料容器の前面が下を向くようにその冷凍用飲料容器を水平な平面状のところに置いた場合、その冷凍用飲料容器の水の全てが  板状の部材  の底面側に存在する空間に在る状態を、その冷凍用飲料容器の縦縦断断面図を用いて現している図である。
【図１９】水平な平面状のところに前面が下を向く状態で置かれた前先端部が前面の内面に在る  板状の部材  の底面側に存在する空間に、空間に存在する水の全てが在る凹凸の有る前後と左右の面を有する冷凍用飲料容器の内部を、その冷凍用飲料容器の縦縦断断面図を用いて現している図である。
【図２０】表面の全体が平面状である底面を外から視た図である。
【図２１】中央に凹んだ部分の在る底面の表面を外から視た図である。
【図２２】水平な平面状のところに底面が下になるように置かれた前先端部が前面の内面に在る  板状の部材  を持つ冷凍用飲料容器本体に水を入れはじめた時のその内部の様子を、その冷凍用飲料容器本体の縦縦断断面図を用いて現している図である。
【図２３】水平な平面状のところに底面が下になるように置かれた前先端部が前面の内面に在る  板状の部材  の底面側に存在する空間に氷が存在している冷凍用飲料容器本体に水を入れている時のその内部の様子をその冷凍用飲料容器本体の縦縦断断面図を用いて現している図である。
【図２４】水平な平面状のところに底面が下になるように置かれた、氷が、前先端部が前面の上の面の内面に在る  板状の部材  の底面側に存在する空間と蓋部の装着する部分側に存在する空間に在る冷凍用飲料容器本体の空間に水が入るように出来ることを、その冷凍用飲料容器本体の縦縦断断面図を用いて現している図である。
【図２５】水平な平面状のところに底面が下になるように置かれた氷が、前先端部が前面の内面に在る  板状の部材  の底面側に存在する空間と蓋部を装着する部分側に存在する空間、そして、蓋部を装着する部分の内部の空間に在る冷凍用飲料容器本体に水を入れようとした場合、前述の蓋部を装着する部分の内部の空間に存在する氷がその蓋部を装着する部分の内部の空間を塞ぐ状態で存在していれば、水は空間の内部に入ることが出来ない様子を、その冷凍用飲料容器本体の縦縦断断面図を用いて現している図である。
【図２６】空間の内部に水と氷が存在している冷凍用飲料容器本体を手に持ち、その空間に存在する水をコップ内に入れていく様子とその冷凍用飲料容器本体の内部の状態を、その冷凍用飲料容器本体の縦縦断断面図図を用いて現している図である。
【図２７】前先端部が前面の上の内部に在る  板状の部材  の底面側に存在する空間に氷が在り、そして、水が空間の一部に在る冷凍用飲料容器を、その後面が下になるように水平な平面状のところに置いた場合、空間の後面の内面側に水が貯まる様子をその冷凍用飲料容器の縦縦断断面図を用いて現している図である。
【図２８】図２７の冷凍用飲料容器の蓋部を取り外した冷凍用飲料容器本体を手に持って逆さにすることで、その冷凍用飲料容器本体のま下に在るコップに水が入り、その冷凍用飲料容器本体の水の全てが無くなり、空間には氷のみが存在している様子を、その冷凍用飲料容器本体の縦縦断断面図を用いて現している図である。
【図２９】空間の、前先端部が前面の上の面の内面に在る  板状の部材  の蓋部を装着する部分側に存在する空間と底面側に存在する空間に氷のみが存在する冷凍用飲料容器を前面が上になる状態にして水平になるように手に持っても、前記氷が下に落ちることがない様子をその冷凍用飲料容器の縦縦断断面図を用いて現している図である。
【図３０】水平な平面状のところに底面が下になるように置かれた前後の面と左右の側面の交わるところの角が削られた冷凍用飲料容器をま上から視た図である。
【図３１】水平な平面状のところに底面が下になるように置かれた、内部の空間に複数の凸部を有する冷凍用飲料容器本体を、その冷凍用飲料容器本体の左側面側から視る角度でその冷凍用飲料容器の内部の様子を現した図である。
【図３２】図３１の冷凍用飲料容器本体の底面から出ている凸部のすぐ上のところを水平に切断して、その切断面を上から視た図である。
【図３３】
2015217989.tif 000052
【図３４】下部に上から見た場合に略Ｔ字状となって見える複数の凸部が存在する冷凍用飲料容器本体の、前先端部が前面の内面に在る勾配を有する略板状の部分の前先端部よりも下の高さのところを切断し、その切断面を上から視た図である。
【手続補正１９】
【補正対象書類名】明細書
【補正対象項目名】００５７
【補正方法】変更
【補正の内容】
【００５７】  １、冷凍用飲料容器
２、冷凍用飲料容器本体
３  蓋部を装着する部分
４  蓋部
５、空間
６、底面
７、前面
８  前面の上の面
９、後面
１０、後面の上の面
１１、左側面
１２、左側面の上の面
１３、右側面
１４、右側面の上の面
１５、板状の部材
１６、前面の上の面の内面
１７、板状の部材の後ろ先端部
１８、後面の内面
１９、板状の部材の前先端部
２０、左側面の内面
２１、板状の部材の下先端部
２２、板状の部材の上先端部
２３、板状の部材の前部
２４  板状の部材の後部
２５、板状の部材の後ろ先端部と後面の内面とに空く空間
２６、板状の部材の蓋部を装着する部分側に存在する空間
２７、板状の部材の底面側に存在する空間
２８、板状の部材の内部の空洞の入口
２９、板状の部材の内部の空洞
３０、板状の部材の上を向いた面
３１、板状の部材の下を向いた面
３２  後面の内面。
３３、後面の最も外側に在る平面状のところ
３４、板状の部材の前面と重なるところ
３５  板状の部材の前面の内面と重なるところ
３６  板状の部材の前先端部となるところ
３７、前面の内面
３８、底面の凹みの周りの部分
３９、底面の凹みの部分
４０、底面の表面
４１、底面の内面
４２  前面の表面
４３、底面の最も外側に在る平面状のところ
４４、棒状の物体
４５、蓋部を装着する部分の内部の空間
４６、左側面の表面
４７  蓋部を装着する部分の内部の空間の入口
４８、右側面の表面
４９、  板状の部材  の内部
５０、前面の最も外側に在る平面状のところ
５１、左側面の最も外側に在る平面状のところ
５２、右側面の最も外側に在る平面状のところ
５３、凸部
５４、左右いづれかの側面側から見ると略Ｔ字状となって見える凸部
５５、上、又は下から見た場合、略Ｔ字状、又はＴ字状となって見える凸部